(57)【要約】【課題】  本発明は集積回路パッケージにおける電気的相互接続を形成するために薄箔を使用する方法及び装置に関するものである。【解決手段】  １実施例においては、導電性箔の一部を金属担体へ超音波によりボンディングすることにより箔担体構成体を形成する。該ボンドした部分は該箔担体構成体におけるパネルを画定する。幾つかの実施例においては、該箔担体構成体を切断して、周囲に沿ってシールされた複数個の分離されたパネルを形成する。各分離されたパネルは、ほぼ、従来のリードフレームストリップ又はパネルの寸法とすることが可能である。その結果、ダイ、ボンディングワイヤ、及びモールディング物質を該パネルへ付加するために既存のパッケージング装置を使用することが可能である。超音波溶接は不所望な物質がこの様な処理ステップ期間中に該箔担体構成体内に浸透することを阻止することに貢献する。該モールドした箔担体構成体の該担体部分を取り除いた後に、該構成体を複数の集積回路パッケージへ分離する。幾つかの実施例は前述した操作の幾つか又は全てを利用する方法に関するものである。その他の実施例は、上のプロセスにおいて使用される装置に関するものである。【選択図】  図２
2011523213.tif 000002
【特許請求の範囲】
【請求項１】
金属担体を設け、
金属箔を設け、
該金属箔の一部を該金属担体へ超音波によりボンディングさせ、そのボンドされた部分が集積回路のパッケージングにおける箔担体パネルとして使用するのに適した該金属箔内の複数個のパネルを画定する方法。
【請求項２】
請求項１において、更に、該金属箔の表面を銀または銀合金でスポット鍍金して各パネル内に複数個のデバイスエリアを形成し、各デバイスエリアは集積回路ダイのワイヤボンディングに適している方法。
【請求項３】
請求項１又は２において、該金属箔は、該金属箔の上部表面及び底部表面上に形成したニッケル層及びパラジウム層を具備している銅箔である方法。
【請求項４】
請求項１乃至３の内のいずれか１項において、該金属箔の厚さは約０．６及び２ミルの間であり、且つ該担体の厚さは約５及び１０ミルの間である方法。
【請求項５】
請求項１乃至４の内のいずれか１項において、該超音波によってボンドした部分が該複数個のパネルの各々の周りに連続的な周辺部を形成している方法。
【請求項６】
請求項１乃至５の内のいずれか１項において、更に、該ボンドした金属箔及び金属担体を切断して複数個の分離したパネルを形成する方法。
【請求項７】
請求項６において、該超音波ボンディングが平行な溶接線を形成し、且つ該切断ステップが、更に、該平行な溶接線に沿って且つその間を切断する方法。
【請求項８】
集積回路装置をパッケージングする方法において、
担体に接着した金属箔を包含する箔担体構成体を設け、
該金属箔へ複数個のダイを取り付け、
該複数個のダイ及び該金属箔の少なくとも一部をモールディング物質で封止してモールドした箔担体構成体を形成し、
該モールドした箔担体構成体から該担体を取り除いてモールドした箔構成体を形成し、
該担体を取り除いた後に該金属箔をエッチングして該金属箔内に複数個のデバイスエリアを画定し、各デバイスエリアは該複数個のダイの内の少なくとも１個を支持し且つ複数個の電気的接続部を具備しており、該エッチングは該モールディング物質の一部を露出させ、
該エッチングステップの後に、該モールドした箔構成体を単体化して複数個のパッケージ化した集積回路装置を与える、
方法。
【請求項９】
請求項８において、該担体が金属担体であり且つ該金属箔の一部が超音波によって該金属担体へボンドされる方法。
【請求項１０】
請求項８において、該金属箔が接着剤で該担体へ取り付けられる方法。
【請求項１１】
請求項８乃至１０の内のいずれか１項において、該封止ステップが、該金属箔上に単一の連続したモールドしたストリップを形成する態様で該モールディング物質を該複数個のダイ及び該金属箔の該一部に適用する方法。
【請求項１２】
請求項８乃至１１の内のいずれか１項において、
該金属箔が銅層と、銀又は銀合金から形成した第２層とを包含しており、
該モールディング物質が該銀層と接触し、
該エッチングステップが、該銅層及び該第２層の両方をエッチングして各デバイスエリア上にコンタクトパッドを形成し、該モールディング物質がコンタクトパッド間に露出され、
該第２層が各コンタクトパッド上にワイヤボンディングサイトを与える、
方法。
【請求項１３】
請求項８乃至１２の内のいずれか１項において、更に、該金属箔をエッチングプロセスのために露出させる形態とされている再使用可能なエッチング担体のキャビティ内に該モールドした箔構成体を配置させる方法。
【請求項１４】
請求項８乃至１３の内のいずれか１項において、該金属箔がニッケル及びパラジウムで被覆されている複数個の表面を具備している金属表面を包含している方法。
【請求項１５】
集積回路ダイをパッケージングする場合に使用するのに適した装置において、
金属担体、
金属箔、
を有しており、該金属箔の一部が超音波によって該金属担体へボンドされており、該ボンドした部分が該金属箔における複数個のパネルを画定している装置。
【請求項１６】
請求項１５において、各パネルは複数個のデバイスエリアを包含しており、各デバイスエリアは金属でスポット鍍金されていて集積回路ダイをワイヤボンディングするのに適した電気的コンタクトを形成している装置。
【請求項１７】
請求項１５又は１６において、該担体がアルミニウムで構成されており且つ該箔が銅で構成されている装置。
【請求項１８】
請求項１５乃至１７の内のいずれか１項において、該超音波によってボンドした部分が該複数個のパネルの各々の周りに連続的な周辺部を形成している装置。
【請求項１９】
請求項１５乃至１８の内のいずれか１項において、該超音波によってボンドした部分が該複数個のパネルの各々の境界を画定する平行な溶接線を形成している装置。
【発明の詳細な説明】
【技術分野】
【０００１】
本発明は、大略、集積回路（ＩＣ）のパッケージングに関するものである。更に詳細には、本発明は、薄箔（thin foil）が関与するパッケージング方法及び装置に関するものである。
【背景技術】
【０００２】
集積回路（ＩＣ）ダイをパッケージングするための多数の従来のプロセスが存在している。例えば、多くのＩＣパッケージは、外部装置への電気的相互接続を与えるために、金属シートから打ち抜き又はエッチングした金属のリードフレームを利用している。ダイは、ボンディングワイヤ、半田バンプ、又はその他の適宜の電気的接続によってリードフレームへ電気的に接続させることが可能である。一般的に、ダイ及びリードフレームの一部はモールディング物質で封止してダイのアクティブ側上のデリケートな電気的コンポーネントを保護すると共にリードフレームの選択した部分を露出させたままとして外部装置への電気的接続を容易なものとさせる。
【０００３】
多くの従来のリードフレームは約４〜８ミル（mil）の厚さを有している。リードフレームの厚さを更に減少させることは幾つかの利点を提供することとなり、例えば全体的なパッケージ寸法を減少させる可能性やリードフレーム金属の節約などがある。然しながら、一般的に、一層薄いリードフレームはパッケージングプロセス期間中に一層曲がりやすい性向を有している。曲がりの危険性を減少させるために、バッキングテープ等の支持用の構成体をリードフレームに適用することが可能である。然しながら、この様な構成体はコストを一層高いものとさせる場合がある。
【０００４】
リードフレームの代わりに電気的相互接続構成体としてメタルホイル即ち金属箔を利用するパッケージデザインが何度も提案されている。多数のホイル即ち箔を基礎としたデザインが開発されているが、業界において広く受け入れられるものは無かった。その理由の一部は、箔を基礎としたパッケージングプロセスは従来のリードフレームパッケージングよりも一層高価なものとなる傾向があるからであり且つ既存のパッケージング装置の多くはこの様な箔を基礎としたパッケージングデザインに良好に適したものではないからである。
【発明の概要】
【発明が解決しようとする課題】
【０００５】
リードフレームを製造し且つリードフレーム技術を使用して集積回路をパッケージングする既存の技術はうまくいくものであるが、集積回路をパッケージングするためのより一層効率的なデザイン及び方法を開発するための努力が継続してなされている。
【課題を解決するための手段】
【０００６】
特許請求の範囲に記載されている発明は、集積回路パッケージにおいて電気的相互接続を形成するために薄箔を使用する方法及び装置に関するものである。１実施例においては、箔担体構成体を導電性箔の一部を金属製担体へ超音波でボンディングすることにより形成する。ボンディングされた部分は箔担体構成体におけるパネルを画定する。幾つかの実施例においては、箔担体構成体を切断して複数個の分離されたパネルを形成し、該パネルをその周辺部に沿ってシールする。各分離されたパネルは従来のリードフレームストリップ又はパネルの寸法とほぼ同じとすることが可能である。その結果、ダイ、ボンディングワイヤ、及びモールディング物質をパネルへ付加するために既存のパッケージング装置を使用することが可能である。超音波溶接が、この処理ステップ期間中に、不所望の物質が箔担体構成体に浸透することを阻止することに貢献する。モールディングした箔担体構成体の担体部分が除去された後に、該構成体を複数の集積回路パッケージに分離する。幾つかの実施例は前述した動作の幾つか又は全てを使用する方法に関連している。その他の実施例は新規なパッケージング装置に関連している。
【０００７】
本発明の幾つかの側面において、前述した箔担体構成体を形成する方法を説明する。本方法は、金属箔の一部を担体へ超音波によってボンディングすることが関与する。金属箔及び担体の夫々の厚さは、特定の適用例の必要性に従って異なる場合がある。例として、約０．５乃至２ミルの範囲の箔厚さ及び約５乃至１０ミルの範囲の担体厚さがうまくいく。超音波によってボンディングした部分は、箔担体構成体におけるパネルを画定する平行な溶接線を形成する場合がある。幾つかの実施例においては、超音波によってボンディングした部分は各パネルの周りに連続的な周辺部を形成する。
【０００８】
エレクトロマイグレーションを減少させ且つ後のワイヤボンディングを容易化させるために、付加的な金属を箔へ付加させることが可能である。幾つかの実施例においては、本方法は、金属箔の上部表面を銀合金等の金属でスポットプレーティング（鍍金）して複数個の装置エリアを形成することを包含している。スポットプレーティングの代わりに、連続的な銀層を箔の表面へ適用することが可能である。その他の実施例においては、ニッケル、パラジウム、及び／又は金を該箔の片側又は両側に適用することが可能である。その他の箔メタリゼーション層を使用することも可能である。
【０００９】
本発明の別の側面においては、集積回路装置をパッケージングする方法を説明する。本方法は、複数個のダイを箔担体構成体へ取り付けることが関与する。箔担体構成体は、上述した箔担体構成体の形態を取ることが可能であるが、そのことが必要とされるものではない。例えば、箔担体構成体の幾つかの実施例は、超音波ボンディングの代わりに、箔を担体へ付着させるために接着剤を使用する。本方法は、更に、金属箔の一部及びダイをモールディング物質で封止し且つ該担体を除去することが関与する。該担体をモールディングした箔担体構成体から除去した後に、該箔をエッチングしてモールディング物質の一部を露出させる。該エッチングは該箔におけるデバイスエリア即ち装置区域を画定する。各デバイスエリアは集積回路ダイへ電気的に接続する形態とされている。エッチングステップの後に、該構成体は分離されて複数個の集積回路パッケージを形成する。
【００１０】
その他の特徴も可能である。該封止は、モールディング物質を連続的なストリップ内に適用することが関与する場合がある。幾つかの側面において、該金属箔は、ベース金属（例えば、銅）層及び銀コーティング層を包含している。その他の側面において、該金属箔はベース金属層及びパラジウム及びニッケルの１つ又はそれ以上の層を包含している。この様な層は、各デバイスエリア上でコンタクトリードとボンディングサイトとを分離させるために同じ動作でエッチングすることが可能である。幾つかの実施例において、エッチングプロセスは、モールディングした箔を再使用可能なエッチング担体のキャビティ内に配置させた後に、行われる。
【００１１】
本発明の別の側面は、集積回路ダイをパッケージングする場合に使用するのに適した装置が関与する。該装置は金属箔を包含しており、その一部は金属担体と超音波によりボンディングされている。この箔担体構成体は上述した特徴の一つ又はそれ以上を有する場合がある。
【図面の簡単な説明】
【００１２】
【図１】（Ａ）は、本発明の１実施例に基づく２個の超音波によりボンディングした層と複数個のパネルとを包含している箔担体構成体の概略平面図、（Ｂ）は、本発明の１実施例に基づく図１Ａに例示した複数のパネルの内の一つの拡大概略平面図、（Ｃ）は、図１Ｂに例示したパネル上の複数のデバイスエリアの内の一つの拡大概略平面図。
【図２】本発明の１実施例に基づく集積回路装置をパッケージングするプロセスを例示したフローチャート。
【図３】（Ａ）〜（Ｅ）は本発明の１実施例に基づくパッケージングプロセスの夫々の段階における状態を示した概略側面図。
【図４】（Ａ）は図３Ｅに示したモールディングした箔構成体を担体に配置した後の例示的エッチング担体の概略平面図、（Ｂ）はエッチング後の（Ａ）に例示したモールディングした箔及びエッチング担体の概略平面図、（Ｃ）は本発明の１実施例に基づく（Ｂ）のエッチングプロセスから得られるデバイスエリアの拡大概略平面図。
【図５】（Ａ）〜（Ｃ）はエッチング、電気鍍金、及び単体化の後の図３Ｄに例示したモールディングした箔構成体の各概略側面図、（Ｄ）は本発明の１実施例に基づく単体化（分離）したパッケージの概略側面図、（Ｅ）は（Ｄ）に例示した単体化したパッケージの概略底面図。
【発明を実施するための形態】
【００１３】
本発明は、大略、集積回路のパッケージングに関するものである。更に詳細には、本発明は、集積回路パッケージにおいて電気的相互接続を形成するために薄箔を使用するための改良した低コストの方法及び装置に関するものである。
【００１４】
薄箔は半導体製造業者に幾つかのチャレンジを提示している。前述した如く、薄箔はパッケージングプロセスのストレス下において湾曲する著しい傾向を持っている。更に、リードフレームを取り扱うための形態とされている既存のパッケージング装置は、典型的に、薄箔を処理するのには適していない。何故ならば、薄箔は寸法が異なっており且つ従来のリードフレームよりも一層弱弱しいからである。以下に説明する本発明の種々の実施例はこれらのチャンレンジに対処するものである。
【００１５】
１番目に説明する実施例は、薄箔を一層効率的に半導体パッケージングプロセス内に統合させるべく構成されている箔担体構成体１００が関与する。箔担体構成体１００は、溶接線１１２に沿ってアルミニウム担体へ超音波によってボンドされた銅箔から構成されている。該箔及び該担体はその他の適宜の物質から構成することも可能である。溶接線１１２及びプロジェクテッドソーストリート（projected saw street）１１０が該構成体を複数個のパネル１０４に分割している。
【００１６】
箔担体構成体１００は、プロジェクテッドソーストリート１１０に沿って切断されるように構成されている。この様な切断は、複数個の分離されたパネルを発生させる。溶接線１１２は各ソーストリート１１０の両側でそれに平行に走行しているので、切断操作の後に、溶接線１１２は各分離されたパネルの周りに連続的でシールされた周辺部を形成する。この実施例においては、各パネルの寸法及び特徴は既存のパッケージング装置による処理のために適合されている。従って、この様な装置は、エッチングし、単体化し、ダイとワイヤとモールディング物質とを各パネルへ付加するために使用することが可能である。（これらの処理ステップの例については図３（Ａ）〜（Ｅ），図４（Ａ）〜（Ｃ）及び図５（Ａ）〜（Ｅ）に関連して以下に説明する。）各パネルは超音波ボンディングを使用してシールされるので、不所望の物質が上の処理ステップ期間中にパネルの層間にくることが阻止される。
【００１７】
超音波ボンディングは、パッケージングプロセスの後の段階によって課されるストレスに耐えるのに十分に強いものであるという利点を提供すると共に、ダイとワイヤとモールディング物質とを箔に付加させた後に該担体が箔から容易に分離されることを許容する。ここにおいて使用されるように、超音波ボンディングという用語は、サーモソニックボンディングを包含する、超音波成分を持った任意の適宜のボンディング技術を包含している。超音波ボンディングはうまくいくが、箔を担体へ固定するためにその他の適宜のボンディング技術を使用することが可能であることを理解すべきである。例として、多様な適宜の接着剤を使用することが可能である。
【００１８】
例示した実施例においては、溶接線は各パネルの周辺部上のボンドされた領域に制限されており、パネルの中央即ち内部内に深く延在するものではない。然しながら、理解すべきことであるが、溶接線１１２は種々のその他の態様で配置させることが可能である。例えば、パネル１０４は、一層細い溶接線の対の代わりに、単一のより幅広の溶接線で分割することが可能である。ソーストリートがより幅広の溶接線の各々の中央に沿って走行する場合には、結果的に得られるパネルはそれらの周辺部に沿ってシールされる。代替的に、該パネルを一層小型のシールしたセグメントに効果的に分割するために付加的な中間の溶接線を設けることが可能である。例えば、各シールしたセグメントはデバイスエリアの二次元アレイ又は種々の従来のリードフレームストリップに存在するもののようなその他のデバイスエリアの配置を包含することが可能である。
【００１９】
理解すべきことであるが、箔担体構成体１００における箔は種々の金属層を包含することが可能である。パッケージング技術に精通した者にとって良く知られているように、ニッケル、パラジウム、又は銀等の金属層が、時折、銅リードフレームに適用されて、エレクトロマイグレーションの減少及び／又はボンディングワイヤとリードフレームとの間の電気的接続の強度の改善等の種々の問題に対処している。本発明においては、箔がリードフレームに取って代わり、且つ同様のコーティングを箔に対して適用することが望ましい場合がある。コストを減少させるために、箔を担体構成体に取り付ける前に、この様なメタリゼーション層を、時折、箔に適用することが可能である。例として、箔担体構成体１００における箔が銅からなる場合には、箔の両側をニッケル及びパラジウムの層でコーティングすることが望ましい場合がある。その他の実施例において、箔の上部（露出）表面は銀又は銀合金の層で被覆されている。代替的に、箔は、図１Ｂに例示した如く、スポット銀メッキさせることが可能である。
【００２０】
図１Ｂは本発明の１実施例に基づくパネル１０４の拡大平面図を示している。パネル１０４は複数個のデバイスエリア１０６を包含しており、それらは銀合金のスポット鍍金によって形成されているものであるが、その他の適宜の金属を使用することも可能である。図１Ｃはデバイスエリア１０６の内の一つの拡大平面図を示している。スポット鍍金部分１０８は、集積回路ダイに対してワイヤボンディングするのに適した複数のボンディングサイトからなるパターンを形成している。この様なスポット鍍金は、箔担体構成体１００がソーストリート１１０に沿って切断される前又は後のいずれかに行うことが可能である。ボンディングワイヤが後にスポット鍍金した部分１０８において箔にボンドされる場合には、銀合金がそのボンドを増強させることが可能である。
【００２１】
デバイスエリア１０６は多様な異なるパターン及び形態を取ることが可能である。例示した実施例において、スポット鍍金した部分１０８は、デバイスエリア１０６の周辺近傍のリング内に位置されている複数個のボンディングサイトを画定する。勿論、多様なその他のボンディングサイトパターンを使用することも可能である。例として、ダイ取り付けパッドに類似する拡大接地（又のその他の）コンタクトへのダウンボンディング（down bonding）が所望される場合には、適宜のスポット鍍金をデバイスエリア１０６の中央に与えることも可能である。更にその他の実施例において、複数行のボンディングサイト、又は広く多様なその他のボンディングサイトパターンのいずれかを箔上にスポット溶接することが可能である。
【００２２】
図２及び３Ａ−３Ｅは、本発明の１実施例に基づいて集積回路装置をパッケージングするプロセス２００を例示している。初期的に、ステップ２０２において、箔３０６と担体３０８とを包含している図３Ａの箔担体構成体２００が設けられる。箔担体構成体３００は図１Ａの箔担体構成体１００から切断されたパネル１０４の形状を取ることが可能であるが、このことは必須なものではない。例示した実施例において、箔３０６は銅箔であり且つ担体３０８はアルミニウムから形成されている。代替的実施例において、銅箔の代わりに異なる金属箔を使用することが可能であり、且つアルミニウム担体３０８の代わりに異なる担体構成体を使用することが可能である。例えば、該担体は、代替的に、銅、鋼鉄、その他の金属、ポリイミド等の非導電性物質、又は広く多様なその他の適宜の物質から構成することが可能である。幾つかの実施例において、箔３０６は超音波ボンディングによって担体３０８へ接着されるが、その他の実施例においては、箔３０６を担体３０８へ固定するために接着剤又はその他の適宜のボンディングメカニズムを使用することが可能である。
【００２３】
箔担体構成体３００の寸法は、特定の適用例の必要性に合致すべく広く変化させることが可能である。幾つかの実施例において、箔担体構成体３００は、ほぼ、典型的なリードフレームストリップの寸法である。箔３０６及び担体３０８の厚さも広く変化させることが可能である。幾つかの実施例においては、箔は約０．５〜２ミルの範囲内の厚さを有している。アルミニウム担体が使用される場合には、約７〜１０ミルの範囲内の厚さでうまくいく。一般的に、リードフレームを取り扱うべく適合されている標準のパッケージング装置を本構成体を処理するために使用することが可能であるように、標準のリードフレームの厚さにほぼ一致する箔担体構成体の厚さとすることが有益的である。
【００２４】
初期的に、ステップ２０４において、ダイ３１８が従来のダイ取り付け技術を使用して箔担体構成体３００上に装着される。ダイを取り付けた後に、それらはワイヤボンディグ等の適宜の手段によって箔へ電気的に接続される。ワイヤボンドされた構成体を図３Ｂに例示してある。理解すべきことであるが、ここに説明するアプローチの顕著な利点の内の一つは、ダイ取り付け及びワイヤボンディグステップにおいて、通常使用可能なダイ取り付け及びワイヤボンディング装置を使用することが可能であるということである。その結果得られる構成体は、ボンディングワイヤ３１６によって箔へ電気的に接続されている複数個のダイを持っている。例示した実施例において、ニッケル及びパラジウムの付加的な層が箔３０６の両表面上に設けられている。上部パラジウム層はワイヤ３１６を一層強固に箔内に固定することを助ける。
【００２５】
ステップ２０６及び図３Ｃにおいて、ダイ３０８、ワイヤ３１６及び箔担体構成体３０１の少なくとも一部及び銅層３０６がモールディング物質３２２内に封止され、モールドされた箔担体構成体３２４を形成する。図３Ｃの例示した実施例において、モールディング物質３２２は単一の連続的なストリップで付加される。即ち、該モールディング物質は箔３０６のモールドされた部分にわたり比較的均一に適用されている。注意すべきことであるが、このタイプのモールディングはリードフレームを基礎とするパッケージングにおいては一般的なものではない。そうではなく、リードフレームストリップ上に担持されているデバイスは典型的に個別的に又はサブパネルにおいてのいずれかでモールドされる。連続的なストリップのモールディング物質の利点は、図３Ｄ，３Ｅ及びステップ２０８に関連して説明する。
【００２６】
ステップ２０８において、図３Ｃのモールドした箔担体構成体３２４の担体部分が除去され、図３Ｄのモールドした箔構成体３２５となる。この時点において、モールディング物質は担体３０８の代わりに箔に対しての構造的支持を与える。理解すべきことであるが、連続的なストリップモールディングアプローチの利点は、それが全パネルに対して良好な支持を与え、従って該ストリップが尚且つパネル形態で取り扱うことが可能であるということである。対照的に、モールディングギャップがモールディング操作期間中にサブパネル間に与えられると、該サブパネルは担体を除去した後に独立的に取り扱うことが必要となる。
【００２７】
図３Ｅは、モールドした箔構成体３２５の外観図を示している。理解すべきことであるが、モールドした箔構成体３２５の上部表面３２８は実質的に平坦状であるが、そのことは必須なものではない。モールドした箔構成体３２５におけるモールディング物質３２２は多様なパターン及び形状を取ることが可能であり、且つモールディング物質３３４の深さはモールドした箔構成体３２５の長さに沿って変化することが可能である。
【００２８】
ステップ２０９において、モールドした箔構成体３２５は、図４Ａ及び４Ｂに例示した如く、エッチング担体４０４内に配置される。図４Ａはモールドした箔構成体３２５を含むエッチング担体４０４の平面図を示している。例示した実施例において、エッチング担体４０４は、アライメント孔４０２及びモールドした箔構成体３２５を受納すべく形態とされたキャビティ４０６を包含している。エッチング担体４０４は、図３Ｆのモールドした箔構成体３２５を受納する構成とされており、従ってモールドした箔構成体の上部表面３２８はキャビティ４０６内に隠され且つ箔３０６は露出される。エッチング担体は再使用可能であり且つ好適にはアルミニウムから構成されているが、その他の物質を使用することも可能である。
【００２９】
ステップ２１０において、箔３０６がエッチングされる。このエッチングは箔３０６の一部を除去し且つ図４Ｂに示した如くに複数のデバイスエリア即ち装置区域４１０を画定する。プラズマエッチング等の多様な適宜のエッチングプロセスを使用することが可能である。デバイスエリア４１０は、ソーイング又はレーザカッティング等のその他の適宜の技術を使用して形成することも可能である。
【００３０】
幾つかの実施例は、箔から形成される電気的コンタクト上に錫又は半田等の金属での後の電気鍍金を容易化させるためにバスバーを具備するデバイスエリア４１０を形成することが関与する。図４Ｃはこの様なデバイスエリアを概略的に例示している。例示した実施例において、デバイスエリア４１０は、ダイ取り付けパッド４１２、コンタクトリード４１４、及びバスバー４１６を包含している。バスバー４１６は、パッドとリードとを電気的に接続させる。バスバー４１６は、複数のデバイスエリア間に導電性リンクを形成することが可能である。理解すべきことであるが、デバイスエリア４１０は多数の可能な配置の内の一つを表すに過ぎないものである。
【００３１】
図５Ａ−５Ｂは、モールドした箔構成体３２５に関するエッチングプロセスの効果の概略側面図を与えている。図５Ａはエッチング前のモールドした箔構成体３２５の概略側面図である。図５Ｂは、どのようにしてエッチングプロセスが箔３０６の一部を除去し、モールディング物質３２２の一部を露出させ、且つコンタクトリード４１４とダイ取り付けパッド４１２とを形成するかを例示している。
【００３２】
上述した如く、幾つかの実施例は図２のステップ２１１を意図しており、それは、ダイ取り付けパッド４１２及びコンタクトリード４１４上への図５Ｃの半田５０８の電気鍍金が関与する。ステップ２１２において、モールドした箔構成体３２５は図５Ｃのプロジェクテッドソーストリート３０２に沿って単体化即ち分離されて半導体パッケージを形成する。モールドした箔構成体３２５は、ソーイング及びレーザカッティング等の多様な技術を使用して単体化即ち分離させることが可能である。単体化したパッケージ５２０の拡大した側面図を図５Ｄに示してある。該パッケージの概略底面図を図５Ｅに示してある。該底面図はモールディング物質３２２によって取り囲まれているダイ取り付けパッド５１６及びコンタクトリード５１８を示している。
【００３３】
本発明の僅かに数個の実施例について詳細に説明したが、本発明は本発明の精神又は範囲を逸脱すること無しに多くのその他の形態で実現することが可能であることを理解すべきである。前述した説明において、説明したリードフレームの多くはリード及び／又はコンタクトを包含しており、それらは、しばしば、コンタクトリードとして呼称されるものである。本発明の文脈において、コンタクトリードという用語は、リード、コンタクト、及びリードフレーム内に存在する場合のあるその他の電気的相互接続構成体を包含することを意図している。従って、本実施例は制限的なものではなく例示的なものであると考えるべきであり、且つ本発明はここに記載した詳細に制限されるものではなく、特許請求の範囲及び均等物内において修正することが可能である。
【図１】
2011523213.tif 000003
【図２】
2011523213.tif 000004
【図３】
2011523213.tif 000005
【図４】
2011523213.tif 000006
【図５】
2011523213.tif 000007
【国際調査報告】
2011523213.tif 000008
2011523213.tif 000009
2011523213.tif 000010